(57)【要約】【課題】毛髪の結び目や掛け回し部分などが、かつらベースの表面に一切露呈せず、かつらベースに植毛された毛髪の根元が自然な外観となり、スムーズなブラッシングが行えるかつらを提供する。【解決手段】人工毛又は人毛からなる毛髪３がかつらベースを構成する人工皮膚２０Ａ、２０Ｂに植毛されたかつら１であって、毛髪３の途中に人工皮膚２０Ａ、２０Ｂとの係止部３１が設けられ、係止部３１が人工皮膚２０Ａ、２０Ｂの裏面側に位置し、毛髪３の両端側がそれぞれ人工皮膚２０Ａ、２０Ｂの表面側に位置し、毛髪３が結着されることなく人工皮膚２０Ａ、２０Ｂに植毛された構成となっている。【選択図】図２
2018159168.tif 000002
【特許請求の範囲】
【請求項１】
人工毛又は人毛からなる毛髪がかつらベースに植毛されたかつらであって、
前記毛髪の途中に前記かつらベースとの係止部が設けられ、
前記係止部が前記かつらベースの裏面側に位置し、
前記毛髪の両端側がそれぞれ前記かつらベースの表面側に位置し、
前記毛髪が結着されることなく前記かつらベースに植毛された、
ことを特徴とするかつら。
【請求項２】
前記係止部が、前記かつらベースの表面側に位置する前記毛髪の両端側よりも大きな断面積を有する、請求項１に記載のかつら。
【請求項３】
前記係止部が、前記毛髪の途中に複数設けられた、請求項２に記載のかつら。
【請求項４】
前記係止部が、前記毛髪の途中に形成された結び目である、請求項１〜３のいずれか１項に記載のかつら。
【請求項５】
前記結び目が、前記毛髪のループを形成する、請求項４に記載のかつら。
【請求項６】
前記毛髪のループ内に、接着剤の膜を保持させた、請求項５に記載のかつら。
【請求項７】
前記係止部が、前記毛髪の途中に固着された樹脂材料塊である、請求項１〜３のいずれか１項に記載のかつら。
【請求項８】
前記係止部の断面の幅寸法が、０．１〜２ｍｍである、請求項１〜７のいずれか１項に記載のかつら。
【請求項９】
前記係止部が、前記毛髪の途中に位置する所定領域を変形させることによって設けられた、請求項１に記載のかつら。
【請求項１０】
前記毛髪の途中に位置する所定領域を変形させることが、波状にすること、凹凸にすること、縮れさせること又は捻転させることのうちの少なくとも１つである、請求項９に記載のかつら。
【請求項１１】
前記かつらベースの少なくとも一部が、上下に重ね合わされた第１及び第２かつらベースからなり、これら第１及び第２かつらベースの間に前記係止部が位置し、前記毛髪が結着されることなく前記第１かつらベースに植毛された、請求項１〜１０のいずれか１項に記載のかつら。
【請求項１２】
前記かつらベース又は前記第１かつらベースが、２ｍｍ以下の網目を有する織布で構成された、請求項１〜１１のいずれか１項に記載のかつら。
【請求項１３】
請求項１〜１２のいずれか１項に記載したかつらの製造方法であって、
Ａ）前記毛髪の途中をＵ字に曲げて、このＵ字部分を境にして、前記毛髪の一端側に前記係止部が含まれるようにする工程と、
Ｂ）前記毛髪のＵ字部分を、前記かつらベースの第１位置において表面側から裏面側へ引き込む工程と、
Ｃ）前記毛髪のＵ字部分を、前記かつらベースの第２位置において裏面側から表面側へ引き出す工程と、
Ｄ）前記毛髪のＵ字部分を引っ張って、前記毛髪の他端側を、前記かつらベースの第２位置から表面側へ引き出す工程と、
Ｅ）前記毛髪の他端側を引っ張って、前記毛髪の一端側に含まれる前記係止部を、前記かつらベースの第１位置において表面側から裏面側へ引き込む工程と、
を含むことを特徴とするかつらの製造方法。
【請求項１４】
請求項５又は６に記載したかつらの製造方法であって、
ａ）前記毛髪の途中をＵ字に曲げて、このＵ字部分に前記結び目が含まれるようにする工程と、
ｂ）前記結び目によって形成された前記ループを引っ張って、前記結び目とともに、前記毛髪のＵ字部分を、前記かつらベースの第１位置において表面側から裏面側へ引き込む工程と、
ｃ）前記毛髪のＵ字部分を引っ張って、前記結び目を前記かつらベースの裏面側に位置させつつ、前記毛髪の一端側又は他端側を、前記かつらベースの第２位置における裏面側から表面側へＵ字状に引き出す工程と、
ｄ）前記毛髪の一端側又は他端側のＵ字状に引き出された部分を引っ張って、前記毛髪の一端側又は他端側を、前記かつらベースの第２位置から表面側へ引き出す工程と、
を含むことを特徴とするかつらの製造方法。
【請求項１５】
請求項１３又は１４に記載したかつらの製造方法に用いられる毛髪セットであって、
台紙と、
前記台紙に設けられた少なくとも一条の粘着部と、
Ｕ字に曲げられた状態で、前記粘着部に貼り付けられた複数の前記毛髪と、
を備えたことを特徴とする毛髪セット。
【発明の詳細な説明】
【技術分野】
【０００１】
本発明は、毛髪の結び目や掛け回し部分などが、かつらベースの表面に一切露呈せず、かつらベースに植毛された毛髪の根元が自然な外観となり、スムーズなブラッシングが行えるかつら、かつらの製造方法及び毛髪セットに関する。
【背景技術】
【０００２】
一般的なかつらは、ネット又は人工皮膚からなるかつらベースに、人工毛又は人毛からなる毛髪が植毛された構成となっている。従来の毛髪の植毛方法としては、例えば、図８（ａ）〜（ｄ）に示すようなものがあった。
【０００３】
図８（ａ）は「Ｖ植毛」と呼ばれる植毛方法を示す概略図である。Ｖ植毛は、合成樹脂製の人工皮膚からなるかつらベースに好適である。Ｖ植毛は、かつらベースを構成する合成樹脂製の人工皮膚に、毛髪をＶ字状に通す植毛方法である。
【０００４】
図８（ｂ）は「シングルノット植毛」と呼ばれる植毛方法を示す概略図である。また、図８（ｃ）は「ハーフシングルノット植毛」と呼ばれる植毛方法を示す概略図である。シングルノット植毛及びハーフシングルノット植毛は、合成繊維又は天然繊維を編んだネット製のかつらベースに好適である。シングルノット植毛及びハーフシングルノット植毛は、かつらベースを構成するネットに、二つ折りにした毛髪を結び付ける植毛方法である。
【０００５】
図８（ｂ）において、シングルノット植毛では、まず、毛髪の途中をＵ字に曲げて、Ｕ字部分を形成する。次いで、毛髪のＵ字部分を、かつらベースの網目に、表面側、裏面側、表面側の順に通す。その後、毛髪の自由な両端側をＵ字部分に通すことで、毛髪をネットに結び付ける。一方、図８（ｃ）において、ハーフシングルノット植毛は、毛髪の一端側又は他端側のいずれか一方をＵ字部分に通すことで、二つ折りにした毛髪をネットに結び付ける。
【０００６】
図８（ｄ）は、「引き抜き植毛」と呼ばれる植毛方法を示す概略図である。引き抜き植毛は、人工皮膚とネットとが上下に重ね合わされた構成のかつらベースに好適である。引き抜き植毛は、下側のネットに毛髪を結び付けた後、上側の人工皮膚から毛髪の自由な両端側を引き出す植毛方法である。
【０００７】
ここで、特許文献１（特許第５０９３９０８号公報）には、上述した従来の毛髪の植毛方法とは異なる植毛方法が提案されている。特許文献１の植毛方法は、その図１（Ａ）〜（Ｉ）に示されているように、毛髪３をかつらベース２に結着させる際に、毛髪３の結び目３ｅがかつらベース２の裏面側に位置し、かつ結び目３ｅに連繋している掛け廻し部分３ｆがかつらベース２の表面側に位置することを特徴とする。
【先行技術文献】
【特許文献】
【０００８】
【特許文献１】特許第５０９３９０８号公報
【発明の概要】
【発明が解決しようとする課題】
【０００９】
図８（ｂ）、（ｃ）に示されるシングルノット植毛及びハーフシングルノット植毛では、毛髪をネットに結び付けていたため、毛髪の根元に結び目の塊ができてしまい、かつらの外観が不自然になってしまう問題があった。特に、黒や茶といった暗色の毛髪の結び目は暗色の塊となり、頭皮を模した明るい肌色のネット上で目立ってしまう。
【００１０】
図８（ａ）、（ｄ）に示されるＶ植毛及び引き抜き植毛では、毛髪の結び目がない又は視認できず、上記のような問題は生じない。しかし、Ｖ植毛は、人工皮膚に植毛した毛髪が抜けやすいという問題がある。一方、引き抜き植毛は、毛髪の結び目を隠すための人工皮膚が必要である。さらに、下側のネットに結び付けた毛髪を、上側の人工皮膚の所定位置から引き出す作業には熟練した技術を要する。
【００１１】
特許文献１の植毛方法は、毛髪３の結び目３ｅがかつらベース２の裏面側に位置するので、図８（ｂ）、（ｃ）に示される植毛方法の問題は生じない。また、特許文献１の植毛方法は、特開２００６−１８３２１５号公報に記載された２枚重ねのかつらベースの問題点を解決するためになされたものであり、図８（ｄ）に示される植毛方法の問題も生じない。
【００１２】
しかし、特許文献１の植毛方法は、その図２（ａ）に示されるように、毛髪３の掛け廻し部分３ｆが、かつらベース２の表面側に露呈してしまう。このような掛け廻し部分３ｆは、自然に生えた自毛の根元に存在するものではなく、かつらベースに植毛された毛髪の根元が不自然な外観となってしまう。特に、毛髪の分け目、つむじ及び生え際は、かつらベースに植毛された毛髪の根元が視認されやすく、特許文献１の植毛方法では、かつらの最も重要な部分において、自毛の生え方と変わらない自然な外観を提供することができないという問題があった。
【００１３】
また、特許文献１の植毛方法では、かつらベース２の表面に、多数の掛け廻し部分３ｆが形成されるので、櫛やブラシの歯が掛け廻し部分３ｆに引っ掛かってしまい、スムーズなブラッシングが阻害される問題もあった。さらに、掛け廻し部分３ｆは、毛髪３の結び目３ｅに連繋しているので、櫛やブラシの歯が掛け廻し部分３ｆに引っ掛かると、毛髪３の結び目３ｅが解けてしまうおそれがあった。
【００１４】
本発明は、上記問題点に鑑みてなされたものであり、毛髪の結び目や掛け回し部分などが、かつらベースの表面に一切露呈せず、かつらベースに植毛された毛髪の根元が自然な外観となり、スムーズなブラッシングが行えるかつら、かつらの製造方法及び毛髪セットの提供を目的とする。
【課題を解決するための手段】
【００１５】
（１）上記目的を達成するために、本発明のかつらは、人工毛又は人毛からなる毛髪がかつらベースに植毛されたかつらであって、前記毛髪の途中に前記かつらベースとの係止部が設けられ、前記係止部が前記かつらベースの裏面側に位置し、前記毛髪の両端側がそれぞれ前記かつらベースの表面側に位置し、前記毛髪が結着されることなく前記かつらベースに植毛された構成としてある。
【００１６】
上記構成によれば、毛髪の結び目や掛け回し部分などが、かつらベースの表面に一切露呈せず、かつらベースに植毛された毛髪の根元が自然な外観となり、スムーズなブラッシングが行えるようになる。このような構成からなる本発明のかつらにより、図８（ｂ）、（ｃ）に示されるシングルノット植毛及びハーフシングルノット植毛の結び目の問題点、及び特許文献１の掛け回し部分の問題点は、いずれも解決される。
【００１７】
また、本発明のかつらでは、毛髪の抜け防止手段としての係止部がかつらベースの裏面側に位置して、毛髪がかつらベースに十分に保持される。この結果、本発明のかつらでは、毛髪を結着することなくかつらベースに植毛することができる。これにより、図８（ａ）に示されたＶ植毛の問題点が解決され、さらに、図８（ｄ）に示された引き抜き植毛のような、結び目を隠すための人工皮膚から毛髪を引き出す手間も掛からない。
【００１８】
（２）好ましくは、上記（１）のかつらにおいて、前記係止部が、前記かつらベースの表面側に位置する前記毛髪の両端側よりも大きな断面積を有する構成にするとよい。このような構成によれば、断面積の大きい係止部が、かつらベースの裏面に当接して、毛髪の抜けが防止される。
【００１９】
（３）好ましくは、上記（２）のかつらにおいて、前記係止部が、前記毛髪の途中に複数設けられた構成にするとよい。このような構成によれば、仮に、第１の係止部がかつらベースを通過してしまった場合でも、第２、第３・・・の係止部が、かつらベースの裏面に当接して、毛髪の抜けが防止される。
【００２０】
（４）好ましくは、上記（１）〜（３）のいずれかのかつらにおいて、前記係止部が、前記毛髪の途中に形成された結び目である構成にするとよい。このような構成によれば、毛髪の途中に係止部を簡単に設けることができる。毛髪の結び方は、容易に解けないものであれば、特に限定されない。例えば、ひと結び、ふた結び、球結びなど、毛髪の直径よりも大きな断面の幅寸法となる結び方を広く適用することができる。このような毛髪の結び目からなる係止部は、人が手作業によって簡単に形成することができる。また、ミシンの「自動玉止め」や自動結束機の原理を応用して、毛髪の結び目を自動で形成することも可能である。
【００２１】
（５）好ましくは、上記（４）のかつらにおいて、前記結び目が、前記毛髪のループを形成する構成にするとよい。このような構成によれば、毛髪をかつらベースに植毛する際に、結び目によって形成された毛髪のループに植毛針の鈎部を引っ掛けることができる。これにより、植毛針を用いて、結び目をかつらベースの表面側から裏面側へ通すことが可能となり、後述するかつらの製造工程を少なくすることが可能となる。
【００２２】
（６）好ましくは、上記（５）のかつらにおいて、前記毛髪のループ内に、接着剤の膜を保持させた構成にするとよい。
【００２３】
ここで、かつらベースの裏面に一様に接着剤を塗布して、全ての毛髪を一括でかつらベースに接着することが考えられる。しかし、かつらベースの裏面に一様に接着剤を塗布すると、固化した接着剤によってかつらベース全体が硬くなり、かつらの装着感が損なわれてしまう。そこで、かつらベースに植毛された多数の毛髪を個別に接着することが考えられる。しかし、個々の毛髪に微量かつ十分な量の接着剤を確実に塗布することは困難である。
【００２４】
上記（６）のかつらによれば、結び目によって形成された毛髪のループ内に、表面張力で接着剤の膜が保持されるので、毛髪ごとに微量かつ十分な量の接着剤を、容易かつ確実に塗布することができる。また、微量の接着剤が膜状に広がって十分な接着力を得ることが可能である。この結果、多数の毛髪をかつらベースにしっかりと固定することができるとともに、接着剤の固化後もかつらベースの柔軟性を維持することが可能であり、かつらの装着感が良好となる。
【００２５】
（７）好ましくは、上記（１）〜（３）のいずれかのかつらにおいて、前記係止部が、前記毛髪の途中に固着された樹脂材料塊である構成としてもよい。毛髪の途中に設けられる係止部は、結び目に限らず、例えば、樹脂材料塊であってもよい。樹脂材料塊は、例えば、毛髪の途中に天然系又は合成系の接着剤を塗布することで、極めて容易に形成することが可能である。
【００２６】
（８）好ましくは、上記（１）〜（７）のいずれかのかつらにおいて、前記係止部の断面の幅寸法が、０．１〜２ｍｍである構成にするとよい。このような構成によれば、かつらベースが比較的細かい網目の織布（メッシュ又はネットを含む）である場合に、毛髪の直径を超える係止部が網目に引っ掛かり、毛髪の抜けが防止される。また、かつらベースが合成樹脂製のシートからなる場合は、毛髪の直径を超える係止部が、合成樹脂のシートに開けられた微小孔に引っ掛かり、毛髪の抜けが防止される。係止部の断面の幅寸法の上限については、比較的粗い網目のネットを考慮すると、断面の幅寸法が２ｍｍの係止部で、毛髪の抜け防止が十分に図れるものと考えられる
【００２７】
（９）好ましくは、上記（１）のかつらにおいて、前記係止部が、前記毛髪の途中に位置する所定領域を変形させることによって設けられた構成にしてもよい。
【００２８】
（１０）例えば、上記（９）のかつらにおいて、前記毛髪の途中に位置する所定領域を変形させることが、波状にすること、凹凸にすること、縮れさせること又は捻転させることのうちの少なくとも１つであってもよい。
【００２９】
上記（９）及び（１０）のかつらによれば、毛髪の途中に位置する所定領域を変形させることで、かつらベースとの間に摩擦抵抗や引っ掛かりを生じさせ、毛髪の抜け防止手段としての効果を奏することができ、毛髪をかつらベースに十分に保持することが可能となる。
【００３０】
（１１）好ましくは、上記（１）〜（１０）のいずれかのかつらにおいて、前記かつらベースの少なくとも一部が、上下に重ね合わされた第１及び第２かつらベースからなり、これら第１及び第２かつらベースの間に前記係止部が位置し、前記毛髪が結着されることなく前記第１かつらベースに植毛された構成にするとよい。このような構成によれば、係止部が、上下に重ね合わされた第１及び第２かつらベースの間に位置するので、第１かつらベースに植毛した毛髪が動きにくくなり、抜けにくくなる。
【００３１】
（１２）好ましくは、上記（１）〜（１１）のいずれかのかつらにおいて、前記かつらベース又は前記第１かつらベースが、２ｍｍ以下の網目を有する織布で構成するとよい。
【００３２】
上述のとおり、本発明のかつらは、毛髪の結び目や掛け回し部分などが、かつらベースの表面に一切露呈せず、かつらベースに植毛された毛髪の根元が自然な外観になるという効果を奏する。したがって、本発明のかつらの構成は、特に、毛髪の分け目、つむじ及び生え際など、かつらベースに植毛された毛髪の根元が露呈しやすい部分に適用したときに真価を発揮する。毛髪の分け目、つむじ及び生え際などには、頭皮を模した合成樹脂シート又は織布（メッシュ又はネットを含む）からなる人工皮膚が用いられる。これらのうち、織布を用いる場合は、２ｍｍ以下、より好ましくは、２ｍｍ未満のより細かい網目の織布を用いることで、織布の外観を頭皮に近似させることができ、本発明のかつらの構成と相俟って、毛髪の根元をより自然な外観に見せることが可能となる。
【００３３】
（１３）上記目的を達成するために、本発明の第１のかつらの製造方法は、上記（１）〜（１２）のいずれかのかつらの製造方法であって、Ａ）前記毛髪の途中をＵ字に曲げて、このＵ字部分を境にして、前記毛髪の一端側に前記係止部が含まれるようにする工程と、Ｂ）前記毛髪のＵ字部分を、前記かつらベースの第１位置において表面側から裏面側へ引き込む工程と、Ｃ）前記毛髪のＵ字部分を、前記かつらベースの第２位置において裏面側から表面側へ引き出す工程と、Ｄ）前記毛髪のＵ字部分を引っ張って、前記毛髪の他端側を、前記かつらベースの第２位置から表面側へ引き出す工程と、Ｅ）前記毛髪の他端側を引っ張って、前記毛髪の一端側に含まれる前記係止部を、前記かつらベースの第１位置において表面側から裏面側へ引き込む工程と、を含む手順となっている。
【００３４】
上記手順を含む本発明の第１のかつらの製造方法によれば、例えば、鈎針や縫い針といった植毛針を用いて、上記（１）〜（１２）のいずれかのかつらを容易に製造することができる。
【００３５】
（１４）上記目的を達成するために、本発明の第２のかつらの製造方法は、上記（５）又は（６）のかつらの製造方法であって、ａ）前記毛髪の途中をＵ字に曲げて、このＵ字部分に前記結び目が含まれるようにする工程と、ｂ）前記結び目によって形成された前記ループを引っ張って、前記結び目とともに、前記毛髪のＵ字部分を、前記かつらベースの第１位置において表面側から裏面側へ引き込む工程と、ｃ）前記毛髪のＵ字部分を引っ張って、前記結び目を前記かつらベースの裏面側に位置させつつ、前記毛髪の一端側又は他端側を、前記かつらベースの第２位置における裏面側から表面側へＵ字状に引き出す工程と、ｄ）前記毛髪の一端側又は他端側のＵ字状に引き出された部分を引っ張って、前記毛髪の一端側又は他端側を、前記かつらベースの第２位置から表面側へ引き出す工程と、を含む手順となっている。
【００３６】
上記手順を含む本発明の第２のかつらの製造方法によれば、上記ｂ）工程において、係止部である結び目をかつらベースの裏面側に引き込むことができる。これにより、上述した第１のかつらの製造方法における上記Ｅ）工程を省略することができ、本発明のかつらをより容易に製造することが可能となる。
【００３７】
（１５）上記目的を達成するために、本発明の毛髪セットは、上記（１３）又は（１４）における第１又は第２のかつらの製造方法に用いられる毛髪セットであって、台紙と、前記台紙に設けられた少なくとも一条の粘着部と、Ｕ字に曲げられた状態で、前記粘着部に貼り付けられた複数の前記毛髪と、を備えた構成としてある。
【００３８】
上記構成からなる本発明の毛髪セットによれば、第１又は第２のかつらの製造方法を実施する際に、作業者が毛髪の途中に係止部を設ける手間を省略することができる。また、毛髪がＵ字に曲げられた状態で台紙に貼り付けられているので、作業者が毛髪をＵ字に曲げる手間や、指で摘んだ毛髪の係止部の位置合わせの手間を省略することができる。
【発明の効果】
【００３９】
本発明によれば、毛髪の結び目や掛け回し部分などが、かつらベースの表面に一切露呈せず、かつらベースに植毛された毛髪の根元が自然な外観となり、スムーズなブラッシングが行えるかつら、かつらの製造方法及び毛髪セットを提供することが可能となる。
【図面の簡単な説明】
【００４０】
【図１】図１は本発明の実施形態に係るかつらの背面図である。
【図２】図２（ａ）は単層構造のかつらベースに植毛した毛髪の状態を示す断面図である。図２（ｂ）は二層構造のかつらベースに植毛した毛髪の状態を示す断面図である。図２（ｃ）は係止部の第１実施形態を示す拡大図である。図２（ｄ）は係止部の第２実施形態を示す拡大図である。図２（ｅ）は係止部の第３実施形態を示す拡大図である。
【図３】図３（ａ）は手作業で毛髪の途中に係止部を設ける工程を示す概略図である。図３（ｂ）は本発明の実施形態に係る毛髪セットを示す正面図である。
【図４】図４（ａ）〜（ｅ）は本発明の第１実施形態に係るかつらの製造方法の各工程を示す概略図である。
【図５】図５（ａ）〜（ｄ）は本発明の第２実施形態に係るかつらの製造方法の各工程を示す概略図である。
【図６】図２（ｄ）の毛髪のループの接着状態を示す拡大図である。
【図７】図７（ａ）〜（ｅ）は、結び目以外の構成の係止部を示す概略図である。
【図８】従来の植毛方法を説明するための概略図であり、図８（ａ）はＶ植毛、図８（ｂ）はシングルノット植毛、図８（ｃ）はハーフシングルノット植毛、図８（ｄ）は引き抜き植毛を示す。
【発明を実施するための形態】
【００４１】
以下、本発明の実施形態に係るかつら、かつらの製造方法及び毛髪セットについて、図面を参照しつつ説明する。
【００４２】
＜かつらの全体構成＞
図１において、本実施形態のかつら１は、主として、かつらベース２に、人工毛又は人毛である毛髪３が植毛された構成となっている。かつらベース２は、比較的に網目の粗いネット１０と、生え際に対応する箇所に配設された人工皮膚２０Ａと、分け目及びつむじに対応する箇所に配設された人工皮膚２０Ｂとで構成される。
【００４３】
ここで、本発明の特徴的な植毛構造及び植毛方法は、毛髪３の根元を自然な外観に見せるためのものであり、毛髪３の根元が露呈しやすい人工皮膚２０Ａ、２０Ｂの部分に適用される。一方、毛髪３の根元が露呈しにくいネット１０の部分に、本発明の特徴的な植毛構造及び植毛方法を適用することは任意である。
【００４４】
＜ネット＞
かつらベース２を構成するネット１０は、装着者の頭部に合わせた椀状となっている。ネット１０は、人工又は天然素材からなる糸状部材１１、１１、１１…を格子状に交差させた構成となっている。糸状部材１１の素材としては、成型性及び耐熱性等に優れたナイロン、ポリエステル、アクリルなどの合成繊維が好ましい。但し、綿、麻、絹等の天然繊維からなる糸状部材１１を用いてネット１０を構成してもよい。
【００４５】
糸状部材１１は、一本のフィラメント（線状の構造体）であってもよいし、複数本のフィラメントを撚ったマルチフィラメントであってもよい。また、ネット１０は、糸状部材１１、１１、１１…を格子状に交差させた構成に限定されるものではない。例えば、本発明の特徴的な植毛構造及び植毛方法をネット１０に適用しない場合、ネット１０は、複数本の糸状部材１１、１１、１１…を縦又は横の一方向に平行に配した構成としてもよい。このような構成とした場合は、例えば、従来の植毛構造及び植毛方法をネット１０に適用して、糸状部材１１に毛髪３を結着させて植毛すればよい。
【００４６】
＜人工皮膚＞
人工皮膚２０Ａ、２０Ｂは、例えば、ポリウレタンやシリコーン等の合成樹脂からなる肌色のフィルム又はシート、若しくはナイロン、ポリエステル、アクリル等の合成繊維、綿、麻、絹等の天然繊維からなる網目の細かい肌色の織布（メッシュ又はネットを含む）により構成してある。
【００４７】
人工皮膚２０Ａ、２０Ｂは、かつら１の生え際、分け目及びつむじの部分を頭皮のように見せる役割を果たす。人工皮膚２０Ａ、２０Ｂに、合成樹脂製のフィルム又はシートを用いた場合は、人間の頭皮の質感をリアルに再現することができ、見た目がより自然となる。一方、人工皮膚２０Ａ、２０Ｂに、合成繊維又は天然繊維の織布を用いた場合は、かつら１の通気性が良好となり、耐久性が向上する利点がある。人工皮膚２０Ａ、２０Ｂに、合成樹脂製のフィルム又はシートを用いた構成の具体例を、図２（ａ）に示す。一方、人工皮膚２０Ａ、２０Ｂに、合成繊維又は天然繊維の織布を用いた構成の具体例を、図２（ｂ）に示す。
【００４８】
図２（ａ）に示すように、ネット１０の生え際、分け目及びつむじに対応する箇所を切り欠いて、この切欠部１０ａの周縁部に沿って、人工皮膚２０Ａ、２０Ｂを縫着した構成としてもよい。このような構成とした場合、ネット１０の生え際、分け目及びつむじに対応する箇所は、人工皮膚２０Ａ、２０Ｂのみの単層構造となる。
【００４９】
一方、図２（ｂ）に示すように、ネット１０の生え際、分け目及びつむじに対応する箇所の上に、人工皮膚２０Ａ、２０Ｂを積層して縫着した構成としてもよい。このような構成とした場合、ネット１０の生え際、分け目及びつむじに対応する箇所は、人工皮膚（第１のかつらベース）２０Ａ、２０Ｂと、ネット（第２のかつらベース）１０との二層構造となる。
【００５０】
＜毛髪＞
毛髪３は、人工毛又は人毛のいずれを用いてもよい。人工毛の素材としては、例えば、ポリエステル、ナイロン、アクリル又は塩化ビニル系の合成繊維が用いられる。毛髪３の太さは、例えば、細い毛髪として約０．０３又は０．０４ｍｍ程度、太い毛髪として約０．０５〜０．１０ｍｍ程度のものが用いられる。また、毛髪３の強度の指標としては、例えば、結んでいない直線状態のときの引っ張り強度で約０．８０Ｎ以上、結んだ状態の引っ張り強度で約０．６０Ｎ以上のものが好ましい。図２（ａ）〜（ｃ）に示すように、本実施形態の毛髪３の途中には、抜け防止手段としての係止部３１が設けられている。この係止部３１については、次の＜毛髪の植毛構造＞において詳述する。
【００５１】
＜毛髪の植毛構造＞
図２（ａ）、（ｂ）に示すように、毛髪３は、人工皮膚２０Ａ、２０ＢにＶ字状に植毛される。毛髪３の途中に設けられた係止部３１は、人工皮膚２０Ａ、２０Ｂの裏面側に位置する。毛髪３の両端側は、それぞれ人工皮膚２０Ａ、２０Ｂの表面側に位置する。毛髪３は、係止部３１によって抜け止めされ、どこにも結着されることなく人工皮膚２０Ａ、２０Ｂに植毛されている。
【００５２】
図２（ｃ）に示すように、係止部３１は、例えば、毛髪３の途中に形成された結び目である。毛髪３の結び方は、容易に解けないものであれば、特に限定されない。例えば、ひと結び、ふた結び、球結びなど、毛髪３の直径よりも大きな断面の幅寸法となる結び方を広く適用することができる。このような毛髪３の結び目からなる係止部３１は、人が手作業によって簡単に形成することができる。また、ミシンの「自動玉止め」や自動結束機の原理を応用して、毛髪３の結び目を自動で形成することも可能である。
【００５３】
係止部３１の断面の幅寸法は、０．１〜２ｍｍ程度の範囲が望ましい。例えば、図２（（ａ）に示すように、人工皮膚２０Ａ、２０Ｂが合成樹脂製のシートからなる場合は、毛髪３の直径を超える係止部３１が、合成樹脂のシートに開けられた微小孔に引っ掛かり、毛髪３の抜けが防止される。また、図２（ｂ）に示すように、人工皮膚２０Ａ、２０Ｂが網目の細かい織布（メッシュ又はネットを含む）からなる場合は、毛髪１の直径を超える係止部３１が網目に引っ掛かり、毛髪３の抜けが防止される。係止部３１の断面の幅寸法の上限については、例えば、ネット１０のような比較的粗い網目のものを考慮すると、断面の幅寸法が２ｍｍの係止部３１で、毛髪３の抜け防止が十分に図れるものと考えられる。
【００５４】
図２（ｄ）に示すように、係止部３１としての結び目が、毛髪３のループ３２を形成する構成としてもよい。このような構成によれば、毛髪３を人工皮膚２０Ａ、２０Ｂに植毛する際に、結び目によって形成された毛髪３のループ３２に植毛針の鈎部を引っ掛けることができる。これにより、植毛針を用いて、結び目をかつらベースの表面側から裏面側へ通すことが可能となり、後述するかつらの製造工程を少なくすることが可能となる。
【００５５】
図２（ｅ）に示すように、毛髪３の途中に複数の係止部３１Ａ、３１Ｂ、３１Ｃが設けられた構成としてもよい。このような構成によれば、仮に、第１の係止部３１Ａが人工皮膚２０Ａ、２０Ｂを通過してしまった場合でも、第２の係止部３１Ｂ、第３の係止部３１Ｃが、人工皮膚２０Ａ、２０Ｂの裏面に当接して、毛髪３の抜けが防止される。
【００５６】
上記構成からなる本実施形態のかつら１によれば、毛髪３の結び目や掛け回し部分などが、人工皮膚２０Ａ、２０Ｂの表面に一切露呈せず、人工皮膚２０Ａ、２０Ｂに植毛された毛髪３の根元が自然な外観となり、スムーズなブラッシングが行えるようになる。
【００５７】
また、本実施形態のかつら１では、毛髪３の抜け防止手段としての係止部３１が人工皮膚２０Ａ、２０Ｂの裏面側に位置して、毛髪３が人工皮膚２０Ａ、２０Ｂに十分に保持される。この結果、本実施形態のかつら１では、毛髪３を結着することなく人工皮膚２０Ａ、２０Ｂに植毛することができる。
【００５８】
＜第１のかつらの製造方法＞
次に、本発明の第１実施形態に係るかつらの製造方法について、図３及び図４を参照しつつ説明する。
【００５９】
＜＜前工程＞＞
上述した本実施形態のかつら１を製造する場合は、毛髪３に予め係止部３１を設ける。図３（ａ）に示すように、人が手作業によって係止部３１となる毛髪３の結び目を形成してもよい。また、糸状部材の結束機能を有するミシンや自動結束機を用いて、毛髪３の結び目を自動で形成してもよい。
【００６０】
ここで、図３（ｂ）は、本実施形態に係る毛髪セット４を示すものである。毛髪セット４は、係止部３１を設けた多数の毛髪３、３、３・・・を、１つずつ指で摘んで分離可能なように保持する。毛髪セット４は、一条の粘着部４２を設けた台紙４１を有する。粘着部４２には、多数の毛髪３、３、３・・・がＵ字に曲げられた状態で、横一列に整列して貼り付けられている。粘着部４２は、例えば、毛髪３を指で摘んで分離可能な程度の粘着力を有する両面テープ又は粘着剤の層からなる。
【００６１】
係止部３１を設けた多数の毛髪３、３、３・・・を予め用意し、図３（ｂ）に示すような毛髪セット４を構成することで、以下に説明する毛髪３の植毛工程を実施する際に、作業者が毛髪３の途中に係止部３１を設ける手間を省略することができる。また、毛髪セット４は、毛髪３がＵ字に曲げられた状態で台紙４１に貼り付けられているので、作業者が毛髪３をＵ字に曲げる手間や、指で摘んだ毛髪３の係止部３１の位置合わせの手間を省略することができる。
【００６２】
＜＜毛髪の植毛工程＞＞
図４（ａ）〜（ｅ）は、係止部３１を設けた毛髪３を、かつらベース２の人工皮膚２０Ａ、２０Ｂに植毛するための各工程を示す。
【００６３】
まず、図４（ａ）に示すように、植毛を行う作業者は、例えば、左手に毛髪３を持ち、右手に植毛針である鈎針５を持つ。作業者は、毛髪３の途中をＵ字に曲げて、毛髪３を二つ折りにして持つ。指で把持した毛髪３は、Ｕ字部分３ａが人工皮膚２０Ａ、２０Ｂの方向を向き、一端側３ｂ及び他端側３ｃが人工皮膚２０Ａ、２０Ｂの反対方向を向くようにする。また、Ｕ字部分３ａを境にして、毛髪３の一端側３ｂに係止部３１を位置させる。このような毛髪３の所定の把持状態は、単に、図３（ｂ）に示す毛髪セット４から毛髪３を指で摘み取ることで実現される。
【００６４】
その一方で、作業者は、鈎針５の先端の鈎部５１を、人工皮膚２０Ａ、２０Ｂの表面側から裏面側へ差し込み、この差し込み位置（第２位置）とは異なる位置（第１位置）において、鈎部５１を人工皮膚２０Ａ、２０Ｂの裏面側から表面側へ差し出す。そして、毛髪３のＵ字部分３ａを鈎部５１に引っ掛ける。
【００６５】
次いで、図４（ｂ）に示すように、作業者は、鈎部５１を人工皮膚２０Ａ、２０Ｂの表面側から裏面側に戻し、毛髪３のＵ字部分３ａを、人工皮膚２０Ａ、２０Ｂの第１位置において表面側から裏面側へ引き込む。このとき、毛髪３の一端側３ｂに位置する係止部３１は、未だ人工皮膚２０Ａ、２０Ｂの裏面側へは引き込まない。
【００６６】
次いで、図４（ｃ）に示すように、作業者は、毛髪のＵ字部分３ａを、人工皮膚２０Ａ、２０Ｂの第２位置において裏面側から表面側へ引き出す。引き続き、図４（ｄ）に示すように、作業者は、毛髪３のＵ字部分３ａを引っ張って、毛髪３の係止部３１が設けられていない他端側３ｃを、人工皮膚２０Ａ、２０Ｂの第２位置から表面側へ引き出す。その後、図４（ｅ）に示すように、作業者は、毛髪３の他端側３ｃを引っ張って、毛髪３の一端側３ｂに設けられた係止部３１を、人工皮膚２０Ａ、２０Ｂの第１位置において表面側から裏面側へ引き込む。これにより、毛髪３の植毛が完了する。
【００６７】
なお、図示しないが、全ての毛髪３、３、３・・・について、図４（ａ）〜（ｅ）に示す一連の植毛工程が完了した後、各毛髪３の係止部３１を、人工皮膚２０Ａ、２０Ｂの裏面に接着してもよい。この場合、人工皮膚２０Ａ、２０Ｂに一様に接着剤を塗布して全ての係止部３１、３１、３１・・・を一括で接着するのではなく、個々の係止部３１に微量の接着剤を塗布して個別に接着するとよい。係止部３１を微量の接着剤で個別に接着することで、接着剤の固化後も人工皮膚２０Ａ、２０Ｂの柔軟性が維持され、かつら１の装着感が良好となる。
【００６８】
＜第２のかつらの製造方法＞
次に、本発明の第２実施形態に係るかつらの製造方法について、図５及び図６を参照しつつ説明する。本実施形態では、図２（ｄ）に示すループ３２を有する毛髪３の植毛工程について詳述する。
【００６９】
＜＜前工程＞＞
第１実施形態と同様に、人工皮膚２０Ａ、２０Ｂに植毛する多数の毛髪３、３、３・・・には、予めループ３２付きの係止部３１を設ける。毛髪３のループ３２付きの結び目は、図３（ａ）に示すように、人が手作業によって形成してもよいし、糸状部材の結束機能を有するミシンや自動結束機を用いて自動で形成してもよい。また、図３（ｂ）に示すように、ループ３２付きの係止部３１が設けられた多数の毛髪３、３、３・・・を毛髪セット４に整列配置しておくことが望ましい。
【００７０】
＜＜毛髪の植毛工程＞＞
図５（ａ）〜（ｄ）は、ループ３２を有する毛髪３を、かつらベース２の人工皮膚２０Ａ、２０Ｂに植毛するための各工程を示す。
【００７１】
まず、図５（ａ）において、植毛を行う作業者は、例えば、左手に毛髪３を持ち、右手に植毛針である鈎針５を持つ。作業者は、毛髪３の途中をＵ字に曲げて、毛髪３を二つ折りにして持つ。指で把持した毛髪３は、Ｕ字部分３ａが人工皮膚２０Ａ、２０Ｂの方向を向き、一端側３ｂ及び他端側３ｃが人工皮膚２０Ａ、２０Ｂの反対方向を向くようにする。ここまでは、上述した第１実施形態と同様であるが、図５（ａ）に示す工程では、第１実施形態と異なり、毛髪３のＵ字部分３ａに係止部３１を位置させる。好ましくは、ループ３２をＵ字部分３ａの先端付近に位置させると、ループ３２に鈎針５の鈎部５１を引っ掛けやすくなる。
【００７２】
その一方で、作業者は、鈎針５の鈎部５１を、人工皮膚２０Ａ、２０Ｂの表面側から裏面側へ差し込み、この差し込み位置（第２位置）とは異なる位置（第１位置）において、鈎部５１を人工皮膚２０Ａ、２０Ｂの裏面側から表面側へ差し出す。ここまでは、上述した第１実施形態と同様であるが、図５（ａ）に示す工程では、第１実施形態と異なり、係止部３１によって形成された毛髪３のループ３２を鈎部５１に引っ掛ける。
【００７３】
次いで、図５（ｂ）に示すように、作業者は、毛髪３のループ３２を鈎部５１で引っ張り、係止部３１とともに、毛髪３のＵ字部分３ａを、人工皮膚２０Ａ、２０Ｂの第１位置において表面側から裏面側へ引き込む。
【００７４】
次いで、図５（ｃ）に示すように、作業者は、人工皮膚２０Ａ、２０Ｂの裏面側において、鈎部５１を、毛髪３のループ３２からＵ字部分３ａに掛け替える。そして、毛髪３のＵ字部分３ａを鈎部５１で引っ張り、係止部３１を人工皮膚２０Ａ、２０Ｂの裏面側に位置させつつ、毛髪３の他端側３ｃを、人工皮膚２０Ａ、２０Ｂの第２位置における裏面側から表面側へＵ字状に引き出す。
【００７５】
引き続き、図５（ｄ）に示すように、作業者は、毛髪３の他端側３ｃのＵ字状に引き出された部分を引っ張って、毛髪３の他端側３ｃを、人工皮膚２０Ａ、２０Ｂの第２位置から表面側へ引き出す。これにより、毛髪３の植毛が完了する。
【００７６】
上述した本実施形態のかつらの製造方法によれば、図５（ｂ）に示す工程において、係止部３１である毛髪３の結び目を、人工皮膚２０Ａ、２０Ｂの裏面側に引き込むことができる。これにより、上述した第１実施形態のかつらの製造方法における図４（ｅ）に示す工程を省略することができ、本実施形態のかつら１をより容易に製造することが可能となる。
【００７７】
＜＜毛髪３の接着工程＞＞
全ての毛髪３、３、３・・・について、図５（ａ）〜（ｄ）に示す一連の植毛工程が完了した後、個々の毛髪３を接着剤で固定する。ここで、図６に示すように、本実施形態では、係止部３１によって形成されたループ３２内に、接着剤６の膜を保持させるようにしている。
【００７８】
毛髪３のループ３２内に、表面張力で接着剤６の膜が保持されるので、個々の毛髪３ごとに微量かつ十分な量の接着剤６を、容易かつ確実に塗布することができる。また、微量の接着剤６が膜状に広がって十分な接着力を得ることが可能である。この結果、多数の毛髪３、３、３・・・を人工皮膚２０Ａ、２０Ｂにしっかりと固定することができるとともに、接着剤６の固化後も人工皮膚２０Ａ、２０Ｂの柔軟性を維持することが可能であり、かつら１の装着感が良好となる。
【００７９】
＜その他の変更＞
本発明のかつら、かつらの製造方法及び毛髪セットは、上述した実施形態に限定されるものではない。例えば、本発明のかつらにおける毛髪の係止部は、毛髪３の結び目（３１）に限定されるものではない。毛髪の結び目以外の係止部の具体例を、図７（ａ）〜（ｅ）に示す。
【００８０】
図７（ａ）の係止部３３は、毛髪３の途中に固着された樹脂材料塊で構成してある。係止部３３としての樹脂材料塊は、例えば、毛髪３の途中に天然系又は合成系の接着剤を塗布することで、極めて容易に形成することが可能である。
【００８１】
図７（ｂ）〜（ｅ）に示す係止部３４〜３７は、いずれも毛髪３の途中に位置する所定領域（図中の鎖線円で囲まれた領域を参照）を変形させることにより設けてある。図７（ｂ）〜（ｅ）に示す毛髪３は、いずれも合成繊維からなる人工毛であり、加熱や薬剤などを利用して、毛髪３の途中に位置する所定領域を変形させている。
【００８２】
図７（ｂ）の係止部３４は、毛髪３の途中に位置する所定領域を「波状」に変形させた構成となっている。図７（Ｃ）の係止部３５は、毛髪３の途中に位置する所定領域を「凹凸状」に変形させた構成となっている。図７（ｄ）の係止部３６は、毛髪３の途中に位置する所定領域を「縮れ状」に形成させた構成となっている。図７（ｅ）の係止部３７は、毛髪３の途中に位置する所定領域を「捻転状」に形成させた構成となっている。このような構成の係止部３４〜３７は、人工皮膚２０Ａ、２０Ｂとの間に摩擦抵抗や引っ掛かりを生じさせ、毛髪３の抜け防止手段としての効果を奏することができ、毛髪３を人工皮膚２０Ａ、２０Ｂに十分に保持することが可能となる。
【００８３】
その他、上述した実施形態では、かつらベース２の生え際、分け目及びつむじに対応する箇所に人工皮膚２０Ａ、２０Ｂを配設した構成とした（図１を参照）。しかし、かつらベースの全体が、合成樹脂製のフィルム又はシート、若しくは合成繊維又は天然繊維からなる比較的網目の細かい織布からなる場合は、生え際、分け目及びつむじを含むかつらベースの全体に、本発明の植毛構造及び植毛方法を適用することができる。
【００８４】
また、上述したかつらの製造方法の各実施形態は、いずれも植毛針として鈎針５を用いているが、本発明における係止部付きの毛髪は、裁縫針を用いてかつらベースに植毛することもできる。
【符号の説明】
【００８５】
１  かつら
２  かつらベース
１０  ネット
１０ａ  切欠部
２０Ａ、２０Ｂ  人工皮膚
３  毛髪
３ａ  Ｕ字部分
３１、３１Ａ、３１Ｂ、３１Ｃ  係止部（結び目）
３２  ループ
３３  係止部（樹脂材料塊）
３４  係止部（波状状）
３５  係止部（凹凸状）
３６  係止部（縮れ状）
３７  係止部（捻転状）
４  毛髪セット
４１  台紙
４２  粘着部
５  鈎針（植毛針）
５１  鈎部
６  接着剤
【図１】
2018159168.tif 000003
【図２】
2018159168.tif 000004
【図３】
2018159168.tif 000005
【図４】
2018159168.tif 000006
【図５】
2018159168.tif 000007
【図６】
2018159168.tif 000008
【図７】
2018159168.tif 000009
【図８】
2018159168.tif 000010
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
人工毛又は人毛からなる毛髪がかつらベースに植毛されたかつらであって、
前記毛髪の途中に前記かつらベースとの係止部が設けられ、
前記係止部が前記かつらベースの裏面側に位置し、
前記毛髪の両端側がそれぞれ前記かつらベースの表面側に位置し、
前記毛髪が結着されることなく前記かつらベースに植毛され、
植毛された各毛髪の個々の前記係止部が前記かつらベースの裏面に個別に接着された、
ことを特徴とするかつら。
【請求項２】
前記係止部が、前記かつらベースの表面側に位置する前記毛髪の両端側よりも大きな断面積を有する、請求項１に記載のかつら。
【請求項３】
前記係止部が、前記毛髪の途中に複数設けられた、請求項２に記載のかつら。
【請求項４】
前記係止部が、前記毛髪の途中に形成された結び目である、請求項１〜３のいずれか１項に記載のかつら。
【請求項５】
前記係止部が、前記毛髪の途中に固着された樹脂材料塊である、請求項１〜３のいずれか１項に記載のかつら。
【請求項６】
前記係止部の断面の幅寸法が、０．１〜２ｍｍである、請求項１〜５のいずれか１項に記載のかつら。
【請求項７】
前記係止部が、前記毛髪の途中に位置する所定領域を変形させることによって設けられた、請求項１に記載のかつら。
【請求項８】
前記毛髪の途中に位置する所定領域を変形させることが、波状にすること、凹凸にすること、縮れさせること又は捻転させることのうちの少なくとも１つである、請求項７に記載のかつら。
【請求項９】
前記かつらベースの少なくとも一部が、上下に重ね合わされた第１及び第２かつらベースからなり、これら第１及び第２かつらベースの間に前記係止部が位置し、前記毛髪が結着されることなく前記第１かつらベースに植毛された、請求項１〜８のいずれか１項に記載のかつら。
【請求項１０】
前記かつらベース又は前記第１かつらベースが、２ｍｍ以下の網目を有する織布で構成された、請求項１〜９のいずれか１項に記載のかつら。
【手続補正２】
【補正対象書類名】明細書
【補正対象項目名】全文
【補正方法】変更
【補正の内容】
【発明の詳細な説明】
【技術分野】
【０００１】
本発明は、毛髪の結び目や掛け回し部分などが、かつらベースの表面に一切露呈せず、かつらベースに植毛された毛髪の根元が自然な外観となり、スムーズなブラッシングが行えるかつらに関する。
【背景技術】
【０００２】
一般的なかつらは、ネット又は人工皮膚からなるかつらベースに、人工毛又は人毛からなる毛髪が植毛された構成となっている。従来の毛髪の植毛方法としては、例えば、図８（ａ）〜（ｄ）に示すようなものがあった。
【０００３】
図８（ａ）は「Ｖ植毛」と呼ばれる植毛方法を示す概略図である。Ｖ植毛は、合成樹脂製の人工皮膚からなるかつらベースに好適である。Ｖ植毛は、かつらベースを構成する合成樹脂製の人工皮膚に、毛髪をＶ字状に通す植毛方法である。
【０００４】
図８（ｂ）は「シングルノット植毛」と呼ばれる植毛方法を示す概略図である。また、図８（ｃ）は「ハーフシングルノット植毛」と呼ばれる植毛方法を示す概略図である。シングルノット植毛及びハーフシングルノット植毛は、合成繊維又は天然繊維を編んだネット製のかつらベースに好適である。シングルノット植毛及びハーフシングルノット植毛は、かつらベースを構成するネットに、二つ折りにした毛髪を結び付ける植毛方法である。
【０００５】
図８（ｂ）において、シングルノット植毛では、まず、毛髪の途中をＵ字に曲げて、Ｕ字部分を形成する。次いで、毛髪のＵ字部分を、かつらベースの網目に、表面側、裏面側、表面側の順に通す。その後、毛髪の自由な両端側をＵ字部分に通すことで、毛髪をネットに結び付ける。一方、図８（ｃ）において、ハーフシングルノット植毛は、毛髪の一端側又は他端側のいずれか一方をＵ字部分に通すことで、二つ折りにした毛髪をネットに結び付ける。
【０００６】
図８（ｄ）は、「引き抜き植毛」と呼ばれる植毛方法を示す概略図である。引き抜き植毛は、人工皮膚とネットとが上下に重ね合わされた構成のかつらベースに好適である。引き抜き植毛は、下側のネットに毛髪を結び付けた後、上側の人工皮膚から毛髪の自由な両端側を引き出す植毛方法である。
【０００７】
ここで、特許文献１（特許第５０９３９０８号公報）には、上述した従来の毛髪の植毛方法とは異なる植毛方法が提案されている。特許文献１の植毛方法は、その図１（Ａ）〜（Ｉ）に示されているように、毛髪３をかつらベース２に結着させる際に、毛髪３の結び目３ｅがかつらベース２の裏面側に位置し、かつ結び目３ｅに連繋している掛け廻し部分３ｆがかつらベース２の表面側に位置することを特徴とする。
【先行技術文献】
【特許文献】
【０００８】
【特許文献１】特許第５０９３９０８号公報
【発明の概要】
【発明が解決しようとする課題】
【０００９】
図８（ｂ）、（ｃ）に示されるシングルノット植毛及びハーフシングルノット植毛では、毛髪をネットに結び付けていたため、毛髪の根元に結び目の塊ができてしまい、かつらの外観が不自然になってしまう問題があった。特に、黒や茶といった暗色の毛髪の結び目は暗色の塊となり、頭皮を模した明るい肌色のネット上で目立ってしまう。
【００１０】
図８（ａ）、（ｄ）に示されるＶ植毛及び引き抜き植毛では、毛髪の結び目がない又は視認できず、上記のような問題は生じない。しかし、Ｖ植毛は、人工皮膚に植毛した毛髪が抜けやすいという問題がある。一方、引き抜き植毛は、毛髪の結び目を隠すための人工皮膚が必要である。さらに、下側のネットに結び付けた毛髪を、上側の人工皮膚の所定位置から引き出す作業には熟練した技術を要する。
【００１１】
特許文献１の植毛方法は、毛髪３の結び目３ｅがかつらベース２の裏面側に位置するので、図８（ｂ）、（ｃ）に示される植毛方法の問題は生じない。また、特許文献１の植毛方法は、特開２００６−１８３２１５号公報に記載された２枚重ねのかつらベースの問題点を解決するためになされたものであり、図８（ｄ）に示される植毛方法の問題も生じない。
【００１２】
しかし、特許文献１の植毛方法は、その図２（ａ）に示されるように、毛髪３の掛け廻し部分３ｆが、かつらベース２の表面側に露呈してしまう。このような掛け廻し部分３ｆは、自然に生えた自毛の根元に存在するものではなく、かつらベースに植毛された毛髪の根元が不自然な外観となってしまう。特に、毛髪の分け目、つむじ及び生え際は、かつらベースに植毛された毛髪の根元が視認されやすく、特許文献１の植毛方法では、かつらの最も重要な部分において、自毛の生え方と変わらない自然な外観を提供することができないという問題があった。
【００１３】
また、特許文献１の植毛方法では、かつらベース２の表面に、多数の掛け廻し部分３ｆが形成されるので、櫛やブラシの歯が掛け廻し部分３ｆに引っ掛かってしまい、スムーズなブラッシングが阻害される問題もあった。さらに、掛け廻し部分３ｆは、毛髪３の結び目３ｅに連繋しているので、櫛やブラシの歯が掛け廻し部分３ｆに引っ掛かると、毛髪３の結び目３ｅが解けてしまうおそれがあった。
【００１４】
本発明は、上記問題点に鑑みてなされたものであり、毛髪の結び目や掛け回し部分などが、かつらベースの表面に一切露呈せず、かつらベースに植毛された毛髪の根元が自然な外観となり、スムーズなブラッシングが行えるかつらの提供を目的とする。
【課題を解決するための手段】
【００１５】
（１）上記目的を達成するために、本発明のかつらは、人工毛又は人毛からなる毛髪がかつらベースに植毛されたかつらであって、前記毛髪の途中に前記かつらベースとの係止部が設けられ、前記係止部が前記かつらベースの裏面側に位置し、前記毛髪の両端側がそれぞれ前記かつらベースの表面側に位置し、前記毛髪が結着されることなく前記かつらベースに植毛され、植毛された各毛髪の個々の前記係止部が前記かつらベースの裏面に個別に接着された構成としてある。
【００１６】
上記構成によれば、毛髪の結び目や掛け回し部分などが、かつらベースの表面に一切露呈せず、かつらベースに植毛された毛髪の根元が自然な外観となり、スムーズなブラッシングが行えるようになる。このような構成からなる本発明のかつらにより、図８（ｂ）、（ｃ）に示されるシングルノット植毛及びハーフシングルノット植毛の結び目の問題点、及び特許文献１の掛け回し部分の問題点は、いずれも解決される。
【００１７】
また、本発明のかつらでは、毛髪の抜け防止手段としての係止部がかつらベースの裏面側に位置して、毛髪がかつらベースに十分に保持される。この結果、本発明のかつらでは、毛髪を結着することなくかつらベースに植毛することができる。これにより、図８（ａ）に示されたＶ植毛の問題点が解決され、さらに、図８（ｄ）に示された引き抜き植毛のような、結び目を隠すための人工皮膚から毛髪を引き出す手間も掛からない。
【００１８】
（２）好ましくは、上記（１）のかつらにおいて、前記係止部が、前記かつらベースの表面側に位置する前記毛髪の両端側よりも大きな断面積を有する構成にするとよい。このような構成によれば、断面積の大きい係止部が、かつらベースの裏面に当接して、毛髪の抜けが防止される。
【００１９】
（３）好ましくは、上記（２）のかつらにおいて、前記係止部が、前記毛髪の途中に複数設けられた構成にするとよい。このような構成によれば、仮に、第１の係止部がかつらベースを通過してしまった場合でも、第２、第３・・・の係止部が、かつらベースの裏面に当接して、毛髪の抜けが防止される。
【００２０】
（４）好ましくは、上記（１）〜（３）のいずれかのかつらにおいて、前記係止部が、前記毛髪の途中に形成された結び目である構成にするとよい。このような構成によれば、毛髪の途中に係止部を簡単に設けることができる。毛髪の結び方は、容易に解けないものであれば、特に限定されない。例えば、ひと結び、ふた結び、球結びなど、毛髪の直径よりも大きな断面の幅寸法となる結び方を広く適用することができる。このような毛髪の結び目からなる係止部は、人が手作業によって簡単に形成することができる。また、ミシンの「自動玉止め」や自動結束機の原理を応用して、毛髪の結び目を自動で形成することも可能である。
【００２１】
（５）好ましくは、上記（１）〜（３）のいずれかのかつらにおいて、前記係止部が、前記毛髪の途中に固着された樹脂材料塊である構成としてもよい。毛髪の途中に設けられる係止部は、結び目に限らず、例えば、樹脂材料塊であってもよい。樹脂材料塊は、例えば、毛髪の途中に天然系又は合成系の接着剤を塗布することで、極めて容易に形成することが可能である。
【００２２】
（６）好ましくは、上記（１）〜（５）のいずれかのかつらにおいて、前記係止部の断面の幅寸法が、０．１〜２ｍｍである構成にするとよい。このような構成によれば、かつらベースが比較的細かい網目の織布（メッシュ又はネットを含む）である場合に、毛髪の直径を超える係止部が網目に引っ掛かり、毛髪の抜けが防止される。また、かつらベースが合成樹脂製のシートからなる場合は、毛髪の直径を超える係止部が、合成樹脂のシートに開けられた微小孔に引っ掛かり、毛髪の抜けが防止される。係止部の断面の幅寸法の上限については、比較的粗い網目のネットを考慮すると、断面の幅寸法が２ｍｍの係止部で、毛髪の抜け防止が十分に図れるものと考えられる
【００２３】
（７）好ましくは、上記（１）のかつらにおいて、前記係止部が、前記毛髪の途中に位置する所定領域を変形させることによって設けられた構成にしてもよい。
【００２４】
（８）例えば、上記（７）のかつらにおいて、前記毛髪の途中に位置する所定領域を変形させることが、波状にすること、凹凸にすること、縮れさせること又は捻転させることのうちの少なくとも１つであってもよい。
【００２５】
上記（７）及び（８）のかつらによれば、毛髪の途中に位置する所定領域を変形させることで、かつらベースとの間に摩擦抵抗や引っ掛かりを生じさせ、毛髪の抜け防止手段としての効果を奏することができ、毛髪をかつらベースに十分に保持することが可能となる。
【００２６】
（９）好ましくは、上記（１）〜（８）のいずれかのかつらにおいて、前記かつらベースの少なくとも一部が、上下に重ね合わされた第１及び第２かつらベースからなり、これら第１及び第２かつらベースの間に前記係止部が位置し、前記毛髪が結着されることなく前記第１かつらベースに植毛された構成にするとよい。このような構成によれば、係止部が、上下に重ね合わされた第１及び第２かつらベースの間に位置するので、第１かつらベースに植毛した毛髪が動きにくくなり、抜けにくくなる。
【００２７】
（１０）好ましくは、上記（１）〜（９）のいずれかのかつらにおいて、前記かつらベース又は前記第１かつらベースが、２ｍｍ以下の網目を有する織布で構成するとよい。
【００２８】
上述のとおり、本発明のかつらは、毛髪の結び目や掛け回し部分などが、かつらベースの表面に一切露呈せず、かつらベースに植毛された毛髪の根元が自然な外観になるという効果を奏する。したがって、本発明のかつらの構成は、特に、毛髪の分け目、つむじ及び生え際など、かつらベースに植毛された毛髪の根元が露呈しやすい部分に適用したときに真価を発揮する。毛髪の分け目、つむじ及び生え際などには、頭皮を模した合成樹脂シート又は織布（メッシュ又はネットを含む）からなる人工皮膚が用いられる。これらのうち、織布を用いる場合は、２ｍｍ以下、より好ましくは、２ｍｍ未満のより細かい網目の織布を用いることで、織布の外観を頭皮に近似させることができ、本発明のかつらの構成と相俟って、毛髪の根元をより自然な外観に見せることが可能となる。
【発明の効果】
【００２９】
本発明によれば、毛髪の結び目や掛け回し部分などが、かつらベースの表面に一切露呈せず、かつらベースに植毛された毛髪の根元が自然な外観となり、スムーズなブラッシングが行えるかつらを提供することが可能となる。
【図面の簡単な説明】
【００３０】
【図１】図１は本発明の実施形態に係るかつらの背面図である。
【図２】図２（ａ）は単層構造のかつらベースに植毛した毛髪の状態を示す断面図である。図２（ｂ）は二層構造のかつらベースに植毛した毛髪の状態を示す断面図である。図２（ｃ）は係止部の第１実施形態を示す拡大図である。図２（ｄ）は係止部の第２実施形態を示す拡大図である。図２（ｅ）は係止部の第３実施形態を示す拡大図である。
【図３】図３（ａ）は手作業で毛髪の途中に係止部を設ける工程を示す概略図である。図３（ｂ）は本発明の実施形態に係る毛髪セットを示す正面図である。
【図４】図４（ａ）〜（ｅ）は本発明の第１実施形態に係るかつらの製造方法の各工程を示す概略図である。
【図５】図５（ａ）〜（ｄ）は本発明の第２実施形態に係るかつらの製造方法の各工程を示す概略図である。
【図６】図２（ｄ）の毛髪のループの接着状態を示す拡大図である。
【図７】図７（ａ）〜（ｅ）は、結び目以外の構成の係止部を示す概略図である。
【図８】従来の植毛方法を説明するための概略図であり、図８（ａ）はＶ植毛、図８（ｂ）はシングルノット植毛、図８（ｃ）はハーフシングルノット植毛、図８（ｄ）は引き抜き植毛を示す。
【発明を実施するための形態】
【００３１】
以下、本発明の実施形態に係るかつら、かつらの製造方法及び毛髪セットについて、図面を参照しつつ説明する。
【００３２】
＜かつらの全体構成＞
図１において、本実施形態のかつら１は、主として、かつらベース２に、人工毛又は人毛である毛髪３が植毛された構成となっている。かつらベース２は、比較的に網目の粗いネット１０と、生え際に対応する箇所に配設された人工皮膚２０Ａと、分け目及びつむじに対応する箇所に配設された人工皮膚２０Ｂとで構成される。
【００３３】
ここで、本発明の特徴的な植毛構造及び植毛方法は、毛髪３の根元を自然な外観に見せるためのものであり、毛髪３の根元が露呈しやすい人工皮膚２０Ａ、２０Ｂの部分に適用される。一方、毛髪３の根元が露呈しにくいネット１０の部分に、本発明の特徴的な植毛構造及び植毛方法を適用することは任意である。
【００３４】
＜ネット＞
かつらベース２を構成するネット１０は、装着者の頭部に合わせた椀状となっている。ネット１０は、人工又は天然素材からなる糸状部材１１、１１、１１…を格子状に交差させた構成となっている。糸状部材１１の素材としては、成型性及び耐熱性等に優れたナイロン、ポリエステル、アクリルなどの合成繊維が好ましい。但し、綿、麻、絹等の天然繊維からなる糸状部材１１を用いてネット１０を構成してもよい。
【００３５】
糸状部材１１は、一本のフィラメント（線状の構造体）であってもよいし、複数本のフィラメントを撚ったマルチフィラメントであってもよい。また、ネット１０は、糸状部材１１、１１、１１…を格子状に交差させた構成に限定されるものではない。例えば、本発明の特徴的な植毛構造及び植毛方法をネット１０に適用しない場合、ネット１０は、複数本の糸状部材１１、１１、１１…を縦又は横の一方向に平行に配した構成としてもよい。このような構成とした場合は、例えば、従来の植毛構造及び植毛方法をネット１０に適用して、糸状部材１１に毛髪３を結着させて植毛すればよい。
【００３６】
＜人工皮膚＞
人工皮膚２０Ａ、２０Ｂは、例えば、ポリウレタンやシリコーン等の合成樹脂からなる肌色のフィルム又はシート、若しくはナイロン、ポリエステル、アクリル等の合成繊維、綿、麻、絹等の天然繊維からなる網目の細かい肌色の織布（メッシュ又はネットを含む）により構成してある。
【００３７】
人工皮膚２０Ａ、２０Ｂは、かつら１の生え際、分け目及びつむじの部分を頭皮のように見せる役割を果たす。人工皮膚２０Ａ、２０Ｂに、合成樹脂製のフィルム又はシートを用いた場合は、人間の頭皮の質感をリアルに再現することができ、見た目がより自然となる。一方、人工皮膚２０Ａ、２０Ｂに、合成繊維又は天然繊維の織布を用いた場合は、かつら１の通気性が良好となり、耐久性が向上する利点がある。人工皮膚２０Ａ、２０Ｂに、合成樹脂製のフィルム又はシートを用いた構成の具体例を、図２（ａ）に示す。一方、人工皮膚２０Ａ、２０Ｂに、合成繊維又は天然繊維の織布を用いた構成の具体例を、図２（ｂ）に示す。
【００３８】
図２（ａ）に示すように、ネット１０の生え際、分け目及びつむじに対応する箇所を切り欠いて、この切欠部１０ａの周縁部に沿って、人工皮膚２０Ａ、２０Ｂを縫着した構成としてもよい。このような構成とした場合、ネット１０の生え際、分け目及びつむじに対応する箇所は、人工皮膚２０Ａ、２０Ｂのみの単層構造となる。
【００３９】
一方、図２（ｂ）に示すように、ネット１０の生え際、分け目及びつむじに対応する箇所の上に、人工皮膚２０Ａ、２０Ｂを積層して縫着した構成としてもよい。このような構成とした場合、ネット１０の生え際、分け目及びつむじに対応する箇所は、人工皮膚（第１のかつらベース）２０Ａ、２０Ｂと、ネット（第２のかつらベース）１０との二層構造となる。
【００４０】
＜毛髪＞
毛髪３は、人工毛又は人毛のいずれを用いてもよい。人工毛の素材としては、例えば、ポリエステル、ナイロン、アクリル又は塩化ビニル系の合成繊維が用いられる。毛髪３の太さは、例えば、細い毛髪として約０．０３又は０．０４ｍｍ程度、太い毛髪として約０．０５〜０．１０ｍｍ程度のものが用いられる。また、毛髪３の強度の指標としては、例えば、結んでいない直線状態のときの引っ張り強度で約０．８０Ｎ以上、結んだ状態の引っ張り強度で約０．６０Ｎ以上のものが好ましい。図２（ａ）〜（ｃ）に示すように、本実施形態の毛髪３の途中には、抜け防止手段としての係止部３１が設けられている。この係止部３１については、次の＜毛髪の植毛構造＞において詳述する。
【００４１】
＜毛髪の植毛構造＞
図２（ａ）、（ｂ）に示すように、毛髪３は、人工皮膚２０Ａ、２０ＢにＶ字状に植毛される。毛髪３の途中に設けられた係止部３１は、人工皮膚２０Ａ、２０Ｂの裏面側に位置する。毛髪３の両端側は、それぞれ人工皮膚２０Ａ、２０Ｂの表面側に位置する。毛髪３は、係止部３１によって抜け止めされ、どこにも結着されることなく人工皮膚２０Ａ、２０Ｂに植毛されている。
【００４２】
図２（ｃ）に示すように、係止部３１は、例えば、毛髪３の途中に形成された結び目である。毛髪３の結び方は、容易に解けないものであれば、特に限定されない。例えば、ひと結び、ふた結び、球結びなど、毛髪３の直径よりも大きな断面の幅寸法となる結び方を広く適用することができる。このような毛髪３の結び目からなる係止部３１は、人が手作業によって簡単に形成することができる。また、ミシンの「自動玉止め」や自動結束機の原理を応用して、毛髪３の結び目を自動で形成することも可能である。
【００４３】
係止部３１の断面の幅寸法は、０．１〜２ｍｍ程度の範囲が望ましい。例えば、図２（（ａ）に示すように、人工皮膚２０Ａ、２０Ｂが合成樹脂製のシートからなる場合は、毛髪３の直径を超える係止部３１が、合成樹脂のシートに開けられた微小孔に引っ掛かり、毛髪３の抜けが防止される。また、図２（ｂ）に示すように、人工皮膚２０Ａ、２０Ｂが網目の細かい織布（メッシュ又はネットを含む）からなる場合は、毛髪１の直径を超える係止部３１が網目に引っ掛かり、毛髪３の抜けが防止される。係止部３１の断面の幅寸法の上限については、例えば、ネット１０のような比較的粗い網目のものを考慮すると、断面の幅寸法が２ｍｍの係止部３１で、毛髪３の抜け防止が十分に図れるものと考えられる。
【００４４】
図２（ｄ）に示すように、係止部３１としての結び目が、毛髪３のループ３２を形成する構成としてもよい。このような構成によれば、毛髪３を人工皮膚２０Ａ、２０Ｂに植毛する際に、結び目によって形成された毛髪３のループ３２に植毛針の鈎部を引っ掛けることができる。これにより、植毛針を用いて、結び目をかつらベースの表面側から裏面側へ通すことが可能となり、後述するかつらの製造工程を少なくすることが可能となる。
【００４５】
図２（ｅ）に示すように、毛髪３の途中に複数の係止部３１Ａ、３１Ｂ、３１Ｃが設けられた構成としてもよい。このような構成によれば、仮に、第１の係止部３１Ａが人工皮膚２０Ａ、２０Ｂを通過してしまった場合でも、第２の係止部３１Ｂ、第３の係止部３１Ｃが、人工皮膚２０Ａ、２０Ｂの裏面に当接して、毛髪３の抜けが防止される。
【００４６】
上記構成からなる本実施形態のかつら１によれば、毛髪３の結び目や掛け回し部分などが、人工皮膚２０Ａ、２０Ｂの表面に一切露呈せず、人工皮膚２０Ａ、２０Ｂに植毛された毛髪３の根元が自然な外観となり、スムーズなブラッシングが行えるようになる。
【００４７】
また、本実施形態のかつら１では、毛髪３の抜け防止手段としての係止部３１が人工皮膚２０Ａ、２０Ｂの裏面側に位置して、毛髪３が人工皮膚２０Ａ、２０Ｂに十分に保持される。この結果、本実施形態のかつら１では、毛髪３を結着することなく人工皮膚２０Ａ、２０Ｂに植毛することができる。
【００４８】
＜第１のかつらの製造方法＞
次に、本発明の第１実施形態に係るかつらの製造方法について、図３及び図４を参照しつつ説明する。
【００４９】
＜＜前工程＞＞
上述した本実施形態のかつら１を製造する場合は、毛髪３に予め係止部３１を設ける。図３（ａ）に示すように、人が手作業によって係止部３１となる毛髪３の結び目を形成してもよい。また、糸状部材の結束機能を有するミシンや自動結束機を用いて、毛髪３の結び目を自動で形成してもよい。
【００５０】
ここで、図３（ｂ）は、本実施形態に係る毛髪セット４を示すものである。毛髪セット４は、係止部３１を設けた多数の毛髪３、３、３・・・を、１つずつ指で摘んで分離可能なように保持する。毛髪セット４は、一条の粘着部４２を設けた台紙４１を有する。粘着部４２には、多数の毛髪３、３、３・・・がＵ字に曲げられた状態で、横一列に整列して貼り付けられている。粘着部４２は、例えば、毛髪３を指で摘んで分離可能な程度の粘着力を有する両面テープ又は粘着剤の層からなる。
【００５１】
係止部３１を設けた多数の毛髪３、３、３・・・を予め用意し、図３（ｂ）に示すような毛髪セット４を構成することで、以下に説明する毛髪３の植毛工程を実施する際に、作業者が毛髪３の途中に係止部３１を設ける手間を省略することができる。また、毛髪セット４は、毛髪３がＵ字に曲げられた状態で台紙４１に貼り付けられているので、作業者が毛髪３をＵ字に曲げる手間や、指で摘んだ毛髪３の係止部３１の位置合わせの手間を省略することができる。
【００５２】
＜＜毛髪の植毛工程＞＞
図４（ａ）〜（ｅ）は、係止部３１を設けた毛髪３を、かつらベース２の人工皮膚２０Ａ、２０Ｂに植毛するための各工程を示す。
【００５３】
まず、図４（ａ）に示すように、植毛を行う作業者は、例えば、左手に毛髪３を持ち、右手に植毛針である鈎針５を持つ。作業者は、毛髪３の途中をＵ字に曲げて、毛髪３を二つ折りにして持つ。指で把持した毛髪３は、Ｕ字部分３ａが人工皮膚２０Ａ、２０Ｂの方向を向き、一端側３ｂ及び他端側３ｃが人工皮膚２０Ａ、２０Ｂの反対方向を向くようにする。また、Ｕ字部分３ａを境にして、毛髪３の一端側３ｂに係止部３１を位置させる。このような毛髪３の所定の把持状態は、単に、図３（ｂ）に示す毛髪セット４から毛髪３を指で摘み取ることで実現される。
【００５４】
その一方で、作業者は、鈎針５の先端の鈎部５１を、人工皮膚２０Ａ、２０Ｂの表面側から裏面側へ差し込み、この差し込み位置（第２位置）とは異なる位置（第１位置）において、鈎部５１を人工皮膚２０Ａ、２０Ｂの裏面側から表面側へ差し出す。そして、毛髪３のＵ字部分３ａを鈎部５１に引っ掛ける。
【００５５】
次いで、図４（ｂ）に示すように、作業者は、鈎部５１を人工皮膚２０Ａ、２０Ｂの表面側から裏面側に戻し、毛髪３のＵ字部分３ａを、人工皮膚２０Ａ、２０Ｂの第１位置において表面側から裏面側へ引き込む。このとき、毛髪３の一端側３ｂに位置する係止部３１は、未だ人工皮膚２０Ａ、２０Ｂの裏面側へは引き込まない。
【００５６】
次いで、図４（ｃ）に示すように、作業者は、毛髪のＵ字部分３ａを、人工皮膚２０Ａ、２０Ｂの第２位置において裏面側から表面側へ引き出す。引き続き、図４（ｄ）に示すように、作業者は、毛髪３のＵ字部分３ａを引っ張って、毛髪３の係止部３１が設けられていない他端側３ｃを、人工皮膚２０Ａ、２０Ｂの第２位置から表面側へ引き出す。その後、図４（ｅ）に示すように、作業者は、毛髪３の他端側３ｃを引っ張って、毛髪３の一端側３ｂに設けられた係止部３１を、人工皮膚２０Ａ、２０Ｂの第１位置において表面側から裏面側へ引き込む。これにより、毛髪３の植毛が完了する。
【００５７】
なお、図示しないが、全ての毛髪３、３、３・・・について、図４（ａ）〜（ｅ）に示す一連の植毛工程が完了した後、各毛髪３の係止部３１を、人工皮膚２０Ａ、２０Ｂの裏面に接着してもよい。この場合、人工皮膚２０Ａ、２０Ｂに一様に接着剤を塗布して全ての係止部３１、３１、３１・・・を一括で接着するのではなく、個々の係止部３１に微量の接着剤を塗布して個別に接着するとよい。係止部３１を微量の接着剤で個別に接着することで、接着剤の固化後も人工皮膚２０Ａ、２０Ｂの柔軟性が維持され、かつら１の装着感が良好となる。
【００５８】
＜第２のかつらの製造方法＞
次に、本発明の第２実施形態に係るかつらの製造方法について、図５及び図６を参照しつつ説明する。本実施形態では、図２（ｄ）に示すループ３２を有する毛髪３の植毛工程について詳述する。
【００５９】
＜＜前工程＞＞
第１実施形態と同様に、人工皮膚２０Ａ、２０Ｂに植毛する多数の毛髪３、３、３・・・には、予めループ３２付きの係止部３１を設ける。毛髪３のループ３２付きの結び目は、図３（ａ）に示すように、人が手作業によって形成してもよいし、糸状部材の結束機能を有するミシンや自動結束機を用いて自動で形成してもよい。また、図３（ｂ）に示すように、ループ３２付きの係止部３１が設けられた多数の毛髪３、３、３・・・を毛髪セット４に整列配置しておくことが望ましい。
【００６０】
＜＜毛髪の植毛工程＞＞
図５（ａ）〜（ｄ）は、ループ３２を有する毛髪３を、かつらベース２の人工皮膚２０Ａ、２０Ｂに植毛するための各工程を示す。
【００６１】
まず、図５（ａ）において、植毛を行う作業者は、例えば、左手に毛髪３を持ち、右手に植毛針である鈎針５を持つ。作業者は、毛髪３の途中をＵ字に曲げて、毛髪３を二つ折りにして持つ。指で把持した毛髪３は、Ｕ字部分３ａが人工皮膚２０Ａ、２０Ｂの方向を向き、一端側３ｂ及び他端側３ｃが人工皮膚２０Ａ、２０Ｂの反対方向を向くようにする。ここまでは、上述した第１実施形態と同様であるが、図５（ａ）に示す工程では、第１実施形態と異なり、毛髪３のＵ字部分３ａに係止部３１を位置させる。好ましくは、ループ３２をＵ字部分３ａの先端付近に位置させると、ループ３２に鈎針５の鈎部５１を引っ掛けやすくなる。
【００６２】
その一方で、作業者は、鈎針５の鈎部５１を、人工皮膚２０Ａ、２０Ｂの表面側から裏面側へ差し込み、この差し込み位置（第２位置）とは異なる位置（第１位置）において、鈎部５１を人工皮膚２０Ａ、２０Ｂの裏面側から表面側へ差し出す。ここまでは、上述した第１実施形態と同様であるが、図５（ａ）に示す工程では、第１実施形態と異なり、係止部３１によって形成された毛髪３のループ３２を鈎部５１に引っ掛ける。
【００６３】
次いで、図５（ｂ）に示すように、作業者は、毛髪３のループ３２を鈎部５１で引っ張り、係止部３１とともに、毛髪３のＵ字部分３ａを、人工皮膚２０Ａ、２０Ｂの第１位置において表面側から裏面側へ引き込む。
【００６４】
次いで、図５（ｃ）に示すように、作業者は、人工皮膚２０Ａ、２０Ｂの裏面側において、鈎部５１を、毛髪３のループ３２からＵ字部分３ａに掛け替える。そして、毛髪３のＵ字部分３ａを鈎部５１で引っ張り、係止部３１を人工皮膚２０Ａ、２０Ｂの裏面側に位置させつつ、毛髪３の他端側３ｃを、人工皮膚２０Ａ、２０Ｂの第２位置における裏面側から表面側へＵ字状に引き出す。
【００６５】
引き続き、図５（ｄ）に示すように、作業者は、毛髪３の他端側３ｃのＵ字状に引き出された部分を引っ張って、毛髪３の他端側３ｃを、人工皮膚２０Ａ、２０Ｂの第２位置から表面側へ引き出す。これにより、毛髪３の植毛が完了する。
【００６６】
上述した本実施形態のかつらの製造方法によれば、図５（ｂ）に示す工程において、係止部３１である毛髪３の結び目を、人工皮膚２０Ａ、２０Ｂの裏面側に引き込むことができる。これにより、上述した第１実施形態のかつらの製造方法における図４（ｅ）に示す工程を省略することができ、本実施形態のかつら１をより容易に製造することが可能となる。
【００６７】
＜＜毛髪３の接着工程＞＞
全ての毛髪３、３、３・・・について、図５（ａ）〜（ｄ）に示す一連の植毛工程が完了した後、個々の毛髪３を接着剤で固定する。ここで、図６に示すように、本実施形態では、係止部３１によって形成されたループ３２内に、接着剤６の膜を保持させるようにしている。
【００６８】
毛髪３のループ３２内に、表面張力で接着剤６の膜が保持されるので、個々の毛髪３ごとに微量かつ十分な量の接着剤６を、容易かつ確実に塗布することができる。また、微量の接着剤６が膜状に広がって十分な接着力を得ることが可能である。この結果、多数の毛髪３、３、３・・・を人工皮膚２０Ａ、２０Ｂにしっかりと固定することができるとともに、接着剤６の固化後も人工皮膚２０Ａ、２０Ｂの柔軟性を維持することが可能であり、かつら１の装着感が良好となる。
【００６９】
＜その他の変更＞
本発明のかつら、かつらの製造方法及び毛髪セットは、上述した実施形態に限定されるものではない。例えば、本発明のかつらにおける毛髪の係止部は、毛髪３の結び目（３１）に限定されるものではない。毛髪の結び目以外の係止部の具体例を、図７（ａ）〜（ｅ）に示す。
【００７０】
図７（ａ）の係止部３３は、毛髪３の途中に固着された樹脂材料塊で構成してある。係止部３３としての樹脂材料塊は、例えば、毛髪３の途中に天然系又は合成系の接着剤を塗布することで、極めて容易に形成することが可能である。
【００７１】
図７（ｂ）〜（ｅ）に示す係止部３４〜３７は、いずれも毛髪３の途中に位置する所定領域（図中の鎖線円で囲まれた領域を参照）を変形させることにより設けてある。図７（ｂ）〜（ｅ）に示す毛髪３は、いずれも合成繊維からなる人工毛であり、加熱や薬剤などを利用して、毛髪３の途中に位置する所定領域を変形させている。
【００７２】
図７（ｂ）の係止部３４は、毛髪３の途中に位置する所定領域を「波状」に変形させた構成となっている。図７（Ｃ）の係止部３５は、毛髪３の途中に位置する所定領域を「凹凸状」に変形させた構成となっている。図７（ｄ）の係止部３６は、毛髪３の途中に位置する所定領域を「縮れ状」に形成させた構成となっている。図７（ｅ）の係止部３７は、毛髪３の途中に位置する所定領域を「捻転状」に形成させた構成となっている。このような構成の係止部３４〜３７は、人工皮膚２０Ａ、２０Ｂとの間に摩擦抵抗や引っ掛かりを生じさせ、毛髪３の抜け防止手段としての効果を奏することができ、毛髪３を人工皮膚２０Ａ、２０Ｂに十分に保持することが可能となる。
【００７３】
その他、上述した実施形態では、かつらベース２の生え際、分け目及びつむじに対応する箇所に人工皮膚２０Ａ、２０Ｂを配設した構成とした（図１を参照）。しかし、かつらベースの全体が、合成樹脂製のフィルム又はシート、若しくは合成繊維又は天然繊維からなる比較的網目の細かい織布からなる場合は、生え際、分け目及びつむじを含むかつらベースの全体に、本発明の植毛構造及び植毛方法を適用することができる。
【００７４】
また、上述したかつらの製造方法の各実施形態は、いずれも植毛針として鈎針５を用いているが、本発明における係止部付きの毛髪は、裁縫針を用いてかつらベースに植毛することもできる。
【符号の説明】
【００７５】
１  かつら
２  かつらベース
１０  ネット
１０ａ  切欠部
２０Ａ、２０Ｂ  人工皮膚
３  毛髪
３ａ  Ｕ字部分
３１、３１Ａ、３１Ｂ、３１Ｃ  係止部（結び目）
３２  ループ
３３  係止部（樹脂材料塊）
３４  係止部（波状状）
３５  係止部（凹凸状）
３６  係止部（縮れ状）
３７  係止部（捻転状）
４  毛髪セット
４１  台紙
４２  粘着部
５  鈎針（植毛針）
５１  鈎部
６  接着剤